(57)【要約】【課題】遠心濾過装置の遠心脱水槽を高速で回転駆動する際に、バッグフィルタ内での液体の偏りに伴う異常振動を防止し、バッグフィルタ内に堆積した穿孔屑等の固形成分の排除を容易に行う。【解決手段】遠心脱水槽１４を回転させて遠心脱水槽１４内に配置したバッグフィルタ３０内の混濁液に遠心力を作用させて上記混濁液をバッグフィルタ３０によって濾過し、固形成分と分離した液体をバッグフィルタ３０の外側に通過させるとともに、固形成分をバッグフィルタ３０内に溜めるようにした遠心濾過装置用のバッグフィルタ３０において、上記バッグフィルタ３０内に海綿状の層部材３７をバッグフィルタ３０の内周面に沿わせて配置した。【選択図】図３
2006082002.tif 000002
【特許請求の範囲】
【請求項１】
高速で回転される遠心脱水槽の槽内にバッグフィルタを収容配置するとともに、このバッグフィルタの内部に液体と固形成分との混濁液を導入し、上記遠心脱水槽を回転させてバッグフィルタ内の混濁液に遠心力を作用させることで上記混濁液をバッグフィルタによって濾過し、固形成分と分離した液体をバッグフィルタの外側に通過させるとともに、固形成分をバッグフィルタ内に溜めるようにした遠心濾過装置用のバッグフィルタにおいて、上記バッグフィルタ内に海綿状の層部材をバッグフィルタの内周面に沿わせて配置したことを特徴とする遠心濾過装置用のバッグフィルタ。
【請求項２】
上記バッグフィルタが、略円筒形状を成すように形成されており、遠心脱水槽を回転することによる遠心力が主として円筒部に作用するように上記遠心脱水槽器内に配置され、上記海綿状の層部材が上記円筒面部の内周面に沿って配設されていることを特徴とする請求項１の遠心濾過装置用のバッグフィルタ。
【請求項３】
上記海綿状の層部材が略矩形状に形成されて構成されており、この矩形状の層部材をバッグフィルタの円筒部の内周面に沿うように湾曲させて配置したことを特徴とする請求項２の遠心濾過装置用のバッグフィルタ。
【請求項４】
前記バッグフィルタを、矩形状の素材を円筒状に丸めるとともに前記素材の遠心脱水槽の回転方向に向いた端部が外側に配置されるように重ね合わせして円筒状に形成された円筒状部と、前記円筒状部の上下端縁をそれぞれ内側へ屈曲してこの屈曲された端縁に上壁片と底壁片をそれぞれ外側となるように上下側に重ね合わせし、更に上壁片と底壁片のそれぞれの外周縁を下方及び上方に折り曲げてそれらの折り曲げ部を前記円筒状部の外周面側に重ねあわせして、それぞれの重ね合わせ部を縫い合わせするとともに、縫い合わせ部分に樹脂を塗布して一体に接合させて形成し、前記海綿状の層部材を上記バッグフィルタの前記円筒状部の内周面に沿わせて配置したことを特徴とする請求項２又は請求項３に記載の遠心濾過装置用のバッグフィルタ。
【請求項５】
前記バッグフィルタの上壁片の中心部には開口が形成されており、この開口の縁から上方へ延びた首部が一体に形成されるとともに首部の上端縁には外径方向に広がった鍔部を形成してなり、更にこの首部と鍔部とを他の部分よりも柔軟な素材によって形成したことを特徴とする請求項５に記載の遠心濾過装置用のバッグフィルタ。
【発明の詳細な説明】
【技術分野】
【０００１】
本発明は、コンクリートドリルによりコンクリートや石材等で構成されている壁面や床面に穴あけを行う際に、コアビットの刃先を冷却するために刃先部へ供給した冷却水を回収して、この穿孔屑が混入した冷却水を濾過させて固形成分を除去した冷却水を再度コンクリートドリルへ供給するようにした冷却水濾過システムで使用される遠心濾過装置用のバッグフィルタに関する。
【背景技術】
【０００２】
コンクリートや石材等により構成されている建築物の壁面や床面又は基礎等にガスや水道又は冷暖房用の配管工事を行う際に、電力や圧縮空気等の動力によって駆動されるコンクリートドリルを使用して穴あけ施工を行うことが一般に行われている。これらの施工では、コンクリートドリルに装着したコアビットに回転と振動を付与させて、コアビットの先端に形成した円筒状の穿孔刃によりコンクリート壁等に所定径の穴を穿孔させるようにしている。このようなコンクリートドリルでは、穿孔中のコアビットの穿孔刃部分へ冷却水を供給して穿孔刃を冷却させるとともにコアドリルにより研削されたコンクリートの穿孔屑を冷却水とともに穿孔部分から排出するようにしている。そして、穿孔屑が混入して混濁した冷却水をコンクリートドリルの穿孔部から回収して混濁した冷却水を濾過し、濾過された冷却水を再度コンクリートドリルへ供給するようにした濾過システムが既に提案されている。
【０００３】
従来の冷却水濾過システムは、穿孔機本体の穿孔刃の部分に水処理受槽を設置して、穿孔機本体から穿孔刃の部分へ供給されて穿孔刃を冷却した冷却水を前記水処理受槽内に溜めて、コンクリートの穿孔によって生じた穿孔屑と冷却水とが混濁した廃液をポンプによって遠心分離機の回転槽内へ送出し、この遠心分離機の回転槽内で廃液中の穿孔屑と冷却水とを分離させて、廃液から分離された穿孔屑等の固形成分を遠心分離機の回転槽内に設置されている袋状の漉布内に貯めるとともに、濾過されて再生された冷却水を再生冷却水貯槽へ溜めて、この冷却水貯槽から再生された冷却水をポンプによって穿孔機本体へ供給するようにして冷却水を循環させて使用するようにしている。
【特許文献１】特開平６−１７０８３５号公報
【０００４】
上記従来の濾過システムでは、遠心分離機の回転槽の内面に沿うように袋状の漉布が収容されており、この漉布内に冷却水と穿孔屑とが混濁した廃液を入れた状態で回転槽と一緒に回転させて、高速回転による遠心力によって混濁した廃液中の冷却水を漉布を通過させて回転槽の外側へ排出し、穿孔屑等の固形成分を漉布内に堆積させるようにしている。従って、穿孔屑と分離された冷却水を再度穿孔機本体へ循環供給して連続的に穿孔作業をすることができるとともに、廃棄すべき穿孔屑等の固形成分が冷却水と完全に分離された状態で漉布内に堆積されるので、漉布を遠心分離機の回転槽内から取り出すことによって容易に漉布の清掃が行えて穿孔作業全体の作業効率を上げることが可能となる。
【発明の開示】
【発明が解決しようとする課題】
【０００５】
しかしながら、遠心分離機の回転槽内に配置されている漉布内に供給される混濁した冷却水の供給量と、漉布によって濾過されて漉布から排出される冷却水の量のバランスが崩れると漉布内に混濁した冷却水が溜まってしまい、この溜まった冷却水が回転槽のバランスを崩してモータによって回転槽を回転駆動する際に異常振動が発生することがある。このように異常振動が発生すると回転槽の回転数が所定の回転数まで上がらず濾過性能を低下してしまったり、又は、振動により装置の耐久性を低下させてしまうことがある。また、漉布内に堆積した穿孔屑を掃除するには漉布を回転槽内から取り出して清掃する必要があり、漉布を回転槽内から取り出す操作と清掃後の漉布を再び回転槽内へ装着する煩わしい操作を必要としている。
【０００６】
本発明は上記従来技術における問題点を解消して、遠心濾過装置の遠心脱水槽を高速で回転駆動する際に、遠心脱水槽内において混濁した冷却水等が偏りバランスが崩れる等によって、遠心脱水槽の回転時に異常振動が発生することがなく、更に、バッグフィルタ内に堆積した穿孔屑等の固形成分の排除を容易に行うことができるバッグフィルタを提供することを課題とする。
【課題を解決するための手段】
【０００７】
上記課題を解決するため本発明の遠心濾過装置用のバッグフィルタは、高速で回転される遠心脱水槽の槽内にバッグフィルタを収容配置するとともに、このバッグフィルタの内部に液体と固形成分との混濁液を導入し、上記遠心脱水槽を回転させてバッグフィルタ内の混濁液に遠心力を作用させることで上記混濁液をバッグフィルタによって濾過し、固形成分と分離した液体をバッグフィルタの外側に通過させるとともに、固形成分をバッグフィルタ内に溜めるようにした遠心濾過装置用のバッグフィルタにおいて、上記バッグフィルタ内に海綿状の層部材をバッグフィルタの内周面に沿わせて配置したことを特徴とする。
【０００８】
また、請求項２の発明は、上記バッグフィルタが、略円筒形状を成すように形成されており、遠心脱水槽を回転することによる遠心力が主として円筒部に作用するように上記遠心脱水槽器内に配置され、上記海綿状の層部材が上記円筒面部の内周面に沿って配設されていることを特徴とする。
【０００９】
また、請求項３の発明は、上記海綿状の層部材が略矩形状に形成されて構成されており、この矩形状の層部材をバッグフィルタの円筒部の内周面に沿うように湾曲させて配置したことを特徴とする。
【００１０】
また、請求項４の発明は、前記バッグフィルタを、矩形状の素材を円筒状に丸めるとともに前記素材の遠心脱水槽の回転方向に向いた端部が外側に配置されるように重ね合わせして円筒状に形成された円筒状部と、前記円筒状部の上下端縁をそれぞれ内側へ屈曲してこの屈曲された端縁に上壁片と底壁片をそれぞれ外側となるように上下側に重ね合わせし、更に上壁片と底壁片のそれぞれの外周縁を下方及び上方に折り曲げてそれらの折り曲げ部を前記円筒状部の外周面側に重ね合わせして、それぞれの重ね合わせ部を縫い合わせするとともに、縫い合わせ部分に樹脂を塗布して一体に接合させて形成し、前記海綿状の層部材を上記バッグフィルタの上記円筒状部の内側面に沿わせて配置したことを特徴とする。
【００１１】
また、請求項５の発明は、前記バッグフィルタの上壁片の中心部には開口が形成されており、この開口の縁から上方へ延びた首部が一体に形成されるとともに首部の上端縁には外径方向に広がった鍔部を形成してなり、更にこの首部と鍔部とを他の部分よりも柔軟な素材によって形成したことを特徴とする。
【発明の効果】
【００１２】
以上のように本発明の遠心濾過装置用のバッグフィルタによれば、遠心脱水槽を回転させて該遠心脱水槽内に配置されているバッグフィルタ内に供給された混濁液に遠心力を作用させて、混濁液をバッグフィルタによって濾過するようにした遠心濾過装置であって、前記バッグフィルタ内に海綿状の層部材をバッグフィルタの内周面に沿わせて配置しているので、バッグフィルタ内に供給された混濁液が海綿状の層部材に吸収されて、バッグフィルタの内部で層部材に吸収された混濁液が海綿状の層部材内で略均一な状態で保水されるので、遠心脱水槽が回転する際に混濁液がバッグフィルタ内で偏倚することによる遠心脱水槽の異常振動が防止できる。従って、遠心脱水槽が高速で回転駆動されるため濾過効率が向上して作業性を損なうことがない。
【００１３】
また、請求項２の発明によれば、上記バッグフィルタが、略円筒形状を成すように形成されており、遠心脱水槽を回転することによる遠心力が主として円筒部に作用するように上記遠心脱水槽器内に配置され、上記海綿状の層部材が上記円筒面部の内周面に沿って配設されているので、海綿状の層部材により、より好適に混濁液を吸収・保水させることができる。
【００１４】
また、請求項３の発明によれば、上記海綿状の層部材が略矩形状に形成されて構成されており、この矩形状の層部材をバッグフィルタの円筒部の内周面に沿うように湾曲させて配置しているので、海綿状の層部材を安価に形成することができ層部材の内部に堆積した廃棄物と一緒に廃棄することができる。また、層部材をバッグフィルタ内から脱却する操作やバッグフィルタ内への装着の操作が容易に行えるので層部材の交換作業を容易に行うことができる。
【００１５】
また、請求項４の発明によれば、前記バッグフィルタを、矩形状の素材を円筒状に丸めるとともに前記素材の遠心脱水槽の回転方向に向いた端部が外側に配置されるように重ね合わせして円筒状に形成された円筒状部と、前記円筒状部の上下端縁をそれぞれ内側へ屈曲してこの屈曲された端縁に上壁片と底壁片をそれぞれ外側となるように上下側に重ね合わせし、更に上壁片と底壁片のそれぞれの外周縁を下方及び上方に折り曲げてそれらの折り曲げ部を前記円筒状部の外周面側に重ねあわせして、それぞれの重ね合わせ部を縫い合わせするとともに、縫い合わせ部分に樹脂を塗布して一体に接合させて形成し、前記海綿状の層部材を上記バッグフィルタの前記円筒状部の内側面に沿わせて配置しているので、バッグフィルタ内に堆積した固形物が遠心力によって流動した際に素材の端部から合わせ目の間に進入して合わせ目を開いてしまうことがなく、合わせ目から濾過されていない混濁した冷却水が濾過容器内へ漏れてしまうことが防止できる。
【００１６】
また、請求項５の発明によれば、前記バッグフィルタの上壁片の中心部には開口が形成されており、この開口の縁から上方へ延びた首部が一体に形成されるとともに首部の上端縁には外径方向に広がった鍔部を形成してなり、更にこの首部と鍔部とを他の部分よりも柔軟な素材によって形成しているので、バッグフィルタを遠心脱水槽内に装着する際にこの首部を蓋体の開口部から引き出して遠心脱水槽の外側に配置させることによって、バッグフィルタ内に導入した混濁液がバッグフィルタ開口部からの外側へ漏れてしまうことを防止できる。また、首部を柔軟に形成することによってバッグフィルタの交換作業が容易に行える。
【発明を実施するための最良の形態】
【００１７】
本発明は、遠心濾過装置の遠心脱水槽を高速で回転駆動する際に異常振動が発生することがなく、バッグフィルタ内に堆積した穿孔屑等の固形成分の排除を容易に行えるという目的を、バッグフィルタ内にバッグフィルタの内周面に沿わせて海綿状の層部材を配置することにより実現したものであり、更に具体的に実施例を以下に説明する。
【実施例１】
【００１８】
以下に、コンクリートドリル等の穿孔工具の尖端部を冷却する冷却水と、該穿孔工具によって生成された穿孔屑等の粉塵とが混ざり合った混濁液を濾過して、冷却水を循環させて使用するようにした冷却水濾過装置１に基づいて本発明の実施例を説明する。図１は冷却水濾過装置１をコンクリートドリル２に接続したコンクリートドリル用の冷却水濾過システムを示すものである。コンクリートドリル２はドリル本体の後端に形成されているグリップ３とドリル本体の前方に形成されている補助グリップ４を両手で把持して穿孔作業が行えるようにされている。グリップ３に形成されているトリガ５を操作することによってモータ６が回転駆動されて、ドリル本体の先端部に形成されているチャック部７に装着されているコアビット８に回転力と軸方向の振動が伝達され、このコアビット８をコンクリート等に押しつけることによってコアビット８の先端に形成された穿孔刃によってコンクリートが研削されて孔があけられる。
【００１９】
前記コンクリートドリル２のチャック部７に装着されたコアビット８の先端側にはコンクリートドリル２の前方へ伸縮自在なロッド９によって支持されているカップ状に形成されたガイド部材１０が配置されている。穿孔中にコアビット８の刃先部を冷却するための冷却水がコンクリートドリル２側からコアビット８の中心に形成されている開口を経由してコアビット８の刃先部に供給されるようにされており、コアビット８の刃先部に供給された冷却水はコンクリートの研削によって生成される穿孔屑と混ざり合って混濁液となり、この混濁液がコンクリート壁面等の穿孔面を覆うように配置される前記ガイド部材１０に接続されているホース１１を介して冷却水濾過装置１へ回収され、該冷却水濾過装置１により混濁液中から穿孔屑を除去した後に再度ホース１２を介して再びコンクリートドリル２へ戻すように循環される。
【００２０】
冷却水濾過装置１は図２に示すように、濾過された冷却水を貯留するようにしたほぼ円筒状に形成されている濾過容器１３と、この濾過容器１３内に回転自在に支持されている遠心脱水槽１４とを備えている。負圧ポンプ１５によってこの濾過容器１３内を負圧にすることによって、濾過容器１３内に接続しているホース１１を介してコンクリートドリル２のガイド部材１０に溜められた混濁液を濾過容器１３内へ吸引するようにしている。また、冷却水濾過装置１には冷却水をコンクリートドリル２へ供給するようにした図示しない給水ポンプが設けられており、この給水ポンプ１５を作動させることによって固形成分が分離されて濾過容器１３内に貯留されている冷却水をホース１２を介して再びコンクリートドリル２へ供給して、コアビット８の穿孔部へ供給するようにしている。
【００２１】
前記遠心脱水槽１４は、円筒状の周壁１６と底壁１７とによって形成されており、前記底壁１７の下面に取り付けられている回転軸１８が山形状に形成されている濾過容器１３の底壁１９に形成されている軸受け部２０によって回転自在に支持されている。前記濾過容器１３の底壁１９の下面側には前記遠心脱水槽１４を回転させるための電動モータ２１が配置されており、この電動モータ２１の駆動軸と前記遠心脱水槽１４の底壁１７に連結されている回転軸１８とが前記軸受け部２０の内部で連結されており、電動モータ２１の駆動によって前記遠心脱水槽１４が濾過容器１３内で高速回転されるようにされている。
【００２２】
また、前記遠心脱水槽１４の底壁１７には遠心脱水槽１４が回転する際に生ずる遠心力によって濾過された冷却水が遠心脱水槽１４の内側から外側へ透過できるように多数の開口１７ａが形成されている。また、この遠心脱水槽１４の上部には遠心脱水槽１４の開放されている上部を覆うようにされた蓋体２２が着脱可能に設けられており、遠心脱水槽１４内へのフィルタの装着又は遠心脱水槽１４内からのフィルタの取り出しが容易にできるようにしている。またこの蓋体２２の中心部にはコンクリートドリル２のガイド部材１０から回収した混濁した冷却水を遠心脱水槽１４内に装着したフィルタの内側へ導入するための開口２３が形成されている。
【００２３】
前記濾過容器１３の上端部には濾過容器１３内を密閉できるようにした密閉蓋２４が設けられており、この密閉蓋２４はラッチ２５によって濾過容器１３の開放されている上端を閉鎖又は開放できるようにしている。更に、この密閉蓋２４には、濾過容器１３内に配置されている遠心脱水槽１４の上部を回転自在に支持するようにした支持機構２６が形成されている。この支持機構２６は遠心脱水槽１４の蓋体２２の上面を押圧支持させて遠心脱水槽１４の上部の振れを防止するように回転支持させるようにしている。この支持機構２６の中心は中空に形成されており、この中空内に下端が前記遠心脱水槽１４内に配置されるように支持機構２６の中空部を貫通したパイプ２７が貫挿されており、このパイプ２７の上端には一端側が濾過容器１３から外側に引き出されて配置されている吸水管２８が接続されている。
【００２４】
前記遠心脱水槽１４内には穿孔屑やコンクリート粉が混入して混濁された冷却水中から穿孔屑やコンクリート粉等の固形成分を捕捉してきれいな冷却水を濾過させるようにしたバッグフィルタ３０が収容・配置されている。バッグフィルタ３０は例えばポリプロピリンやポリエチレン等の高分子化合物又は不織布等のコンクリート等の穿孔時に発生するコンクリート粉や穿孔屑を透過させない密度の柔軟な素材により、遠心脱水槽１４の内側形状とほぼ同じ円筒状の袋状に形成されており、このバッグフィルタ３０内にはバッグフィルタ３０内に供給された穿孔屑と混濁した冷却水を吸収できるように海綿状の素材により環状に形成された層部材３７がバッグフィルタ３０の内周面に沿って配置されている。このバッグフィルタ３０は前記蓋体２２を遠心脱水槽１４から取り外すことによって遠心脱水槽１４内への装着又は脱却が容易にできるようにされている。
【００２５】
図３及び図４に示すように上記バッグフィルタ３０は、遠心脱水槽１４の円筒状の周壁の内側面に密着して配置されるように円筒状の外周壁を形成している円筒状部３１と、該円筒状部３１の上下の縁に一体に縫製接合された円形状の底壁片３２及び上壁片３３によりほぼ円筒状に構成されている。上壁片３３の中心部には支持機構２６の中空部に貫通されたパイプ２７の端部がバッグフィルタ３０の内側まで挿入できるように開口３４が形成されており、この開口３４の縁から上方へ向けて円筒状の首部３５が形成され、更に、この首部３５の上端部に外径方向に広げられた鍔部３６が形成されている。この首部３５と鍔部３６は記遠心脱水槽１４の上端に装着される蓋体２２の裏面に形成されている凹部２２ａ内に収容できるように前記円筒状部３１の部分より更に薄く且つ柔軟な素材によって形成されている。
【００２６】
更に、前記バッグフィルタ３０の内部には、海綿状の素材によって構成されている層部材３７がバッグフィルタ３０の前記円筒状部３１の内周面に沿うように収容して配置されている。この層部材３７は微細な空隙が多数形成された海綿状若しくはスポンジ状の素材によって構成されており、略矩形状に形成した層部材３７の素材をバッグフィルタ３０の円筒状部３１の内周面に沿うように湾曲させて配置し、全体が環状となるようにしてバッグフィルタ３０内に収容されている。バッグフィルタ３０内に供給された混濁した冷却水をこの層部材３７に吸収させるようにしており、このようにバッグフィルタ３０内に供給した混濁液を海綿状の層部材３７に吸収させることによって、混濁液が層部材３７内でほぼ均等に吸収分散されることにより、混濁液の偏りによる遠心脱水槽の回転時のバランスの崩れが生じ難くなる。
【００２７】
図５に示すように、上記バッグフィルタ３０を形成している前記円筒状部３１は矩形状の素材の両端部３１ａ、３１ｂを重ね合わせて縫製して円筒状に形成するが、素材端部の重ね合わせ方向が図５に示すように、遠心脱水槽１４の回転方向に向いた端部３１ａが外側に配置されるように重ね合わせしている。このように遠心脱水槽１４の回転方向に向いた端部３１ａを外側に重ね合わせすることによって、バッグフィルタ３０内に堆積した固形物が慣性によって流動して合わせ目の間に進入して合わせ目を開いてしまうことがなく、合わせ目から濾過されていない混濁した冷却水が濾過容器１３内へ漏れてしまうことが防止できる。
【００２８】
また、図６に示すように、円筒状部３１の上下端縁には内側へ向けて屈曲された折り曲げ片３１ｃが形成されており、下方の折り曲げ片３１ｃには底壁片３２が下側から重ね合わせして、更に底壁片３２の外周縁を上方に折り曲げしてこの折り曲げ部３２ａを前記円筒状部３１の外周面に重ね合わせして、それぞれの重ね合わせ部を縫い合わせして一体に接合させるとともに、この縫い合わせ部にシリコンやウレタン等の樹脂からなる目止め剤を塗布して針目からの混濁液の漏れが生じないようにさせている。また、円筒状部３１の上端縁に形成された折り曲げ片３１ｃには上壁片３３が上側から重ね合わせられ、上壁片３３の下側に折り曲げされた外周縁３３ａが円筒状部３１の外周面側に重ね合わせして縫い合わせされ更に目止め剤が塗布されて接合されている。このように底壁片３２と上壁片３３を円筒状部３１の外側面に重ね合わせして縫い合わせ接合させることによって、バッグフィルタ３０内に堆積した固形成分が遠心力によって流動する際に固形物が合わせ目内へ進入して合わせ目を開いてしまうことが無く、合わせ目から濾過されていない混濁した冷却水が濾過容器１３内へ漏れてしまうことが防止できる。
【００２９】
以下、上記実施例に係る冷却水濾過装置１の作動状態を説明する。負圧発生手段としての負圧ポンプ１５を作動させることによって濾過容器１３内に負圧を生じさせると、この負圧によってホース１１を介してコンクリートドリル２のガイド部材１０から混濁した冷却水が濾過容器１３内に吸引されてパイプ２７を介して遠心脱水槽１４内のバッグフィルタ３０の内側へ導入される。バッグフィルタ３０内に導入された混濁液はバッグフィルタ３０内に配置されている層部材３７内によって吸収され、層部材３７内で円周方向に沿ってほぼ均等に分散されて保水される。
【００３０】
電動モータ２１を駆動させて遠心脱水槽１４を高速回転させると、遠心脱水槽１４とともにバッグフィルタ３０とこのバッグフィルタ３０内に配置されている層部材３７が一体で回転される。この際に、混濁液は層部材３７内に吸収されて環状に形成されている層部材３７内でほぼ均等に保水されており、この混濁液も層部材３７と一体に回転されるため、混濁液がバッグフィルタ３０内で偏って回転されることによる遠心脱水槽１４の振動の発生が防止できる。
【００３１】
そして、層部材３７に吸収されている混濁液が遠心力によって外側に加圧されて、バッグフィルタ３０の円筒状部３１を介して遠心脱水槽１４の周壁面方向に押圧されて、混濁冷却水中のコンクリート粉等の固形物がバッグフィルタ３０によって濾過されてきれいな冷却水が遠心脱水槽１４の外側に透過して濾過容器１３内の底壁１９上に溜められる。濾過された冷却水は、図示しない給水ポンプによってホース１２を介して再びコンクリートドリル２へ供給される。冷却水と分離された穿孔屑等の固形成分は海綿状の層部材３７内に堆積するので、定期的に層部材３７をバッグフィルタ３０内から取り出して層部材３７ごと廃棄し、バッグフィルタ３０内へ新しい層部材３７を装着することでフィルタ等の清掃の時間の短縮ができ穿孔作業全体の効率を向上させることができる。
【図面の簡単な説明】
【００３２】
【図１】コンクリートドリルに接続された本発明の冷却水濾過装置を示す構成図
【図２】図１の冷却水濾過装置を示す断面図
【図３】図２の冷却水濾過装置に装着されているバッグフィルタの縦断側面図
【図４】一部を破断して示す図３と同じバッグフィルタの斜視図
【図５】図３と同じバッグフィルタの横断平面図
【図６】図４の一部を拡大して示すバッグフィルタの縦断側面図
【符号の説明】
【００３３】
１  冷却水濾過装置
２  コンクリートドリル
１３  濾過容器
１４  遠心脱水槽
３０  バッグフィルタ
３１  円筒状部
３７  層部材
【図１】
2006082002.tif 000003
【図２】
2006082002.tif 000004
【図３】
2006082002.tif 000005
【図４】
2006082002.tif 000006
【図５】
2006082002.tif 000007
【図６】
2006082002.tif 000008